(57)【要約】【目的】  人が自らの手指で触ることに抵抗を感じる対象物へ向けて押し付ける動作だけで当該対象物を掴み取ることが可能な道具を提供する。【解決手段】  紙、木、シリコン、軽金属、プラスチックないし合成樹脂、ポリロタキサン又はこれらの組合せから形成されている掴み取り具１において、底板２と、底板２から延在する複数の側板４からなる把持部であって、該複数の側板４のうちのいくつかの側板４が互いに係合可能に構成されている、把持部と、を備え、底板２の中央箇所に開口８が形成されており、底板２に、複数の柔軟な爪状片１０が開口８の概ね中心へ向けて概ね水平に、該複数の柔軟な爪状片１０の先端を互いに接近させるように延びていることを特徴とする、複数の柔軟な爪状片１０を有する掴み取り具１を提供する。【選択図】  図２
2019218068.tif 000002
【特許請求の範囲】
【請求項１】
紙、木、シリコン、軽金属、プラスチックないし合成樹脂、ポリロタキサン又はこれらの組合せから形成されている掴み取り具において、
底板と、
上記底板から延在する複数の側板からなる把持部であって、該複数の側板のうちのいくつかの側板が互いに係合可能に構成されている、把持部と、
を備え、
上記底板の中央箇所に開口が形成されており、
上記底板に、複数の柔軟な爪状片が上記開口の概ね中心へ向けて概ね水平に、該複数の柔軟な爪状片の先端を互いに接近させるように延びていることを特徴とする、複数の柔軟な爪状片を有する掴み取り具。
【請求項２】
紙、木、シリコン、軽金属、プラスチックないし合成樹脂、ポリロタキサン又はこれらの組合せから形成されている掴み取り具において、
底板と、
上記底板の四方に折り目を介して接続された４つの側板からなる把持部であって、互いに対向する２つの側板どうしが係合可能に構成されている、把持部と、
を備え、
上記底板の中央箇所に開口が形成されており、
上記底板に、複数の柔軟な爪状片が上記開口の概ね中心へ向けて概ね水平に、該複数の柔軟な爪状片の先端を互いに接近させるように延びていることを特徴とする、複数の柔軟な爪状片を有する掴み取り具。
【請求項３】
該掴み取り具の全体が紙から形成されていることを特徴とする、請求項１又は請求項２に記載の複数の柔軟な爪状片を有する掴み取り具。
【請求項４】
上記開口の形状が、円形、楕円形ないし長円形、又は多角形の形状に形成されていることを特徴とする、請求項１〜３のいずれかに記載の複数の柔軟な爪状片を有する掴み取り具。
【請求項５】
紙、木、シリコン、軽金属、プラスチックないし合成樹脂、ポリロタキサン又はこれらの組合せから形成されている掴み取り具において、
底板と、
上記底板から概ね垂直上方へ延在する把持部と、
を備え、
上記底板から概ね垂直下方へ複数の柔軟な爪状片が延在し、該複数の柔軟な爪状片の先端が互いに接近する方向へ湾曲していることを特徴とする、複数の柔軟な爪状片を有する掴み取り具。
【請求項６】
該掴み取り具の全体が紙から形成されていることを特徴とする、請求項５に記載の複数の柔軟な爪状片を有する掴み取り具。
【請求項７】
上記複数の柔軟な爪状片の内側がコルゲート加工されて波打ち形状に形成されていることを特徴とする、請求項５又は請求項６に記載の複数の柔軟な爪状片を有する掴み取り具。
【発明の詳細な説明】
【技術分野】
【０００１】
本発明は、複数の柔軟な爪状片を有する掴み取り具に関し、詳しくは、人が手指で触りたくない対象物や、手指で触るには熱過ぎる対象物に対して、複数の柔軟な爪状片を引っ掛けて掴み取ることができるように構成された掴み取り具に関する。
【背景技術】
【０００２】
家庭内のあちらこちらに、ゴキブリを駆除するためのゴキブリ駆除用品が置かれることがある。しかし、ゴキブリが大嫌いな人は、使用済みのゴキブリ駆除用品を触ることさえ抵抗を感じるものであり、ゴキブリ駆除用品を捨てるときに、自分の手指で触ることができずに、割り箸等を使って掴み上げる人も少なくない。
【０００３】
また、人は誤って高温の対象物を手指で触ってしまって火傷をすることがある。例えば、小さな子供が茶碗蒸し小鉢の蓋などの高温の対象物を持ち上げようとして、自分の手指で直接的に触って火傷をしてしまうことがある。
【先行技術文献】
【特許文献】
【０００４】
【特許文献１】特開２００２−３６００９９号公報
【発明の概要】
【発明が解決しようとする課題】
【０００５】
人が手指で直接に触れたくないゴキブリ駆除用品等の対象物を掴み取る道具として、使い捨ての目的でつくられた紙製の小型スコップやトングがこれまでにも提案されている。しかし、小型スコップは、所定の掬い取り面積を必要とするために比較的大きいものとなってしまうという技術的課題があった。また、特許文献１に記載の紙製のトングは、これを使って対象物を掴み上げるときに力加減を調節する必要があるため、取り扱いが簡単な道具であるとは言えなかった。
【０００６】
本発明は、人が自分の手指で直接に触りたくない対象物、或いは手指で直接触ることができない程の高温の対象物へ向けて真上から押し付けるだけの操作で、当該対象物を掴み取ることができるように構成された掴み取り具を提供することを目的とする。
【課題を解決するための手段】
【０００７】
一実施例においては、紙、木、シリコン、軽金属、プラスチックないし合成樹脂、ポリロタキサン又はこれらの組合せから形成されている掴み取り具において、底板と、底板から延在する複数の側板からなる把持部であって、該複数の側板のうちのいくつかの側板が互いに係合可能に構成されている、把持部と、を備え、底板の中央箇所に開口が形成されており、底板に、複数の柔軟な爪状片が開口の概ね中心へ向けて概ね水平に、該複数の柔軟な爪状片の先端を互いに接近させるように延びていることを特徴とする、複数の柔軟な爪状片を有する掴み取り具を提供する。
【０００８】
他の実施例においては、紙、木、シリコン、軽金属、プラスチックないし合成樹脂、ポリロタキサン又はこれらの組合せから形成されている掴み取り具において、底板と、底板の四方に折り目を介して接続された４つの側板からなる把持部であって、互いに対向する２つの側板どうしが係合可能に構成されている、把持部と、を備え、底板の中央箇所に開口が形成されており、底板に、複数の柔軟な爪状片が開口の概ね中心へ向けて概ね水平に、該複数の柔軟な爪状片の先端を互いに接近させるように延びていることを特徴とする、複数の柔軟な爪状片を有する掴み取り具を提供する。
【０００９】
一実施例においては、該掴み取り具の全体が紙から形成されていることを特徴とする。
【００１０】
また、開口の形状が、円形、楕円形ないし長円形、又は多角形の形状に形成されていることを特徴とする。
【００１１】
さらに他の実施例においては、紙、木、シリコン、軽金属、プラスチックないし合成樹脂、ポリロタキサン又はこれらの組合せから形成されている掴み取り具において、底板と、底板から概ね垂直上方へ延在する把持部と、を備え、底板から概ね垂直下方へ複数の柔軟な爪状片が延在し、該複数の柔軟な爪状片の先端が互いに接近する方向へ湾曲していることを特徴とする、複数の柔軟な爪状片を有する掴み取り具を提供する。
【００１２】
一実施例においては、該掴み取り具の全体が紙から形成されていることを特徴とする。
【００１３】
また、上記複数の柔軟な爪状片の内側がコルゲート加工されて波打ち形状に形成されていることを特徴とする。
【図面の簡単な説明】
【００１４】
【図１】一実施例における掴み取り具の展開図。
【図２】一実施例における掴み取り具の展開図。
【図３】他の実施例における掴み取り具の展開図。
【図４】茶碗蒸し小鉢の蓋に被せられる掴み取り具を示す図。
【図５】茶碗蒸し小鉢の蓋に被せられて使用される掴み取り具を示す図。
【図６】茶碗蒸し小鉢の蓋に被せられた掴み取り具を示す図。
【図７】渦巻状に形成された複数の柔軟な爪状片を有する掴み取り具を示す図。
【図８】飲料缶の蓋を開けること等に使用される掴み取り具を示す図。
【発明を実施するための形態】
【００１５】
本発明の掴み取り具１について、 図面を参照しつつ説明する。
【００１６】
図１は一実施例における掴み取り具１の展開図を示す。一実施例における掴み取り具１は、折り目に沿って折られ、組み立てられた状態（図５（ｂ）を参照）で使用されるべきものであるが、ゴキブリ駆除用品等の対象物を掴み取る前後の変化を明示するために、図１〜４，６，７では展開図で示されている。掴み取り具１は、紙、木、シリコン、軽金属（アルミニウム等）、プラスチックないし合成樹脂、ポリロタキサン又はこれらの組合せから形成された底板２と、底板２に折り目を介して接続された複数の側板６とを備える。或いは、掴み取り具１の全体が紙から形成されている。複数の側板６が、折り目に沿って折られた後、切込み５，７を使って互いに係合されると、図５（ｂ）に示されるような組み立てられた状態となる。一実施例においては、底板２の四方に折り目を介して接続された４つの側板のうちの互いに対向する２つの側板が互いに係合可能に構成されている。
【００１７】
また、掴み取り具１は、その底面２の中央箇所に、円形、楕円形ないし長円形、又は種々の多角形の形状に形成された開口８を有する。さらには、開口８の概ね中心へ向けて概ね水平に、複数の柔軟な爪状片１０が、該複数の柔軟な爪状片１０の先端を互いに接近させるように延びている。これらの柔軟な爪状片１０が充分な靱性を備えていれば、掴み取り具１の使用者が片手を使って対象物へ押し付ける方向へ動かすだけで、これらの柔軟な爪状片１０がしなって対象物の窪みに引っかかるので、使用者が対象物に触れることなく対象物を掴み上げることが可能となる。
【００１８】
柔軟な爪状片１０をつくるために、曲げ伸ばしを繰り返しても折れない剛性と延性（伸び）を兼ね備えた素材を使うことが望ましい。一実施例においては、柔軟な爪状片１０が「ポリロタキサン」という曲げ伸ばしを数万回繰り返しても折れないタフポリマーから形成されている。このポリマーは、直鎖状高分子のポリエチレングリコールと、環状分子のシクロデキストリンと、ストッパー分子としてのアダマンタンアミンと、の３つの材料から構成されている。他の実施例において複数の爪状片１０は、ＡＢＳ樹脂等の合成樹脂ないしプラスチックから形成されている場合もある。
【００１９】
図２は、一実施例における掴み取り具１を展開図として示す。図２（ａ）には、平面視で円形の形状に形成された対象物２０と、対象物２０の直径よりも若干大きな寸法の開口８を有する掴み取り具１と、が示されている。対象物２０のゴキブリ駆除用品としては、例えば、コンバット（登録商標）や、ブラックキャップ（登録商標）等の様々な形状のものが市販されている。これらのゴキブリ駆除用品は、その内部にゴキブリを誘い込むための薬剤を有し、その内部へ通じる窪みが当該ゴキブリ駆除用品の周囲に形成されている。
【００２０】
図２（ｂ）においては、掴み取り具１の開口８が対象物２０の真上に位置するように、掴み取り具１が配置されている。使用者が、図２（ｂ）に示される状態から、対象物２０へ押し付ける方向へ掴み取り具１を動かすと、複数の柔軟な爪状片１０がしなって対象物２０の側面の窪みに嵌り込む。これにより、掴み取り具１を使って対象物２０を掴み上げることができるようになる。図２（ｃ）においては、対象物の窪みに嵌り込んだ複数の柔軟な爪状片１０の先端が破線で示されている。
【００２１】
図３は、他の実施例における掴み取り具１の展開図である。図３（ａ）には、平面視で概ね四角形の形状の対象物３０と、この対象物３０の寸法よりも若干大きな寸法の開口８を有する掴み取り具１と、が示されている。
【００２２】
図３（ｂ）においては、掴み取り具１の開口８が対象物３０の真上に位置するように、掴み取り具１が配置されている。使用者が、図３（ｂ）に示される状態から、掴み取り具１を対象物３０へ押し付ける方向へ動かすと、複数の柔軟な爪状片１０がしなって対象物３０の側面の窪みに嵌り込む。こうして、掴み取り具１を使って対象物３０を掴み上げることができるようになる。図３（ｃ）においては、対象物の窪みに嵌り込んだ複数の柔軟な爪状片１０の先端部分が破線で示されている。
【００２３】
図４は、茶碗蒸し小鉢の蓋などに被せられるべき掴み取り具１を展開図として示している。この実施例における掴み取り具１の底面２の中央箇所には、５つの爪状片１０が延在している。使用者が掴み取り具１を茶碗蒸し小鉢へ押し付ける方向へ動かすだけで、複数の柔軟な爪状片１０がしなって、茶碗蒸し小鉢の蓋の摘みに引っ掛けられるように、当該爪状片１０は曲がり易い柔軟な材料から形成されている。
【００２４】
図５は、図４に示した掴み取り具１が使用されるときの一例を示している。図５（ａ）に示されるような熱い茶碗蒸し小鉢の蓋５４の上方から掴み取り具１を押し付ける方向へ動かすだけで、複数の柔軟な爪状片１０がしなり、これらの爪状片１０が茶碗蒸し小鉢の蓋５４の摘み５６の下側に引っ掛かる。図５（ｂ）は、掴み取り具１の複数の柔軟な爪状片１０が、茶碗蒸し小鉢５０の蓋５４の摘み５６に引っ掛けられた状態を示している。例えば、茶碗蒸し料理を提供する料理店において、高温の茶碗蒸し小鉢５０の蓋５４に掴み取り具１が被せられて図５（ｂ）に示される状態でお客に供されるとよい。これを供されたお客は、熱い茶碗蒸し小鉢５０に触れることなく、逆さ八の字形の形状に開いた２枚の側板６を閉じるように指で掴んで、掴み取り具１と共に茶碗蒸し小鉢の蓋５４を持ち上げることができる。
【００２５】
図６（ａ）は、図５に示した茶碗蒸し小鉢５０の蓋５４の摘み５６を示す平面図である。図６（ｂ）は、茶碗蒸し小鉢５０の蓋５４に被せられた掴み取り具１を展開図で示している。上述した通り、掴み取り具１が茶碗蒸し小鉢５０の蓋５４に押し付けられると、当該掴み取り具１の複数の柔軟な爪状片１０がしなって、茶碗蒸し小鉢の蓋の摘み５６の下側に潜り込み、図６（ｂ）に示される状態となる（図６（ｂ）においては、蓋の摘み５６の下側に潜り込んだ爪状片１０の先端部分が破線で示されている）。
【００２６】
図７は、さらに他の実施例における掴み取り具１を示す。図７に示される掴み取り具１は、その底面２に、渦巻状に形成された複数の柔軟な爪状片１０を有し、これらの爪状片１０の先に比較的小さな開口８が形成されている。掴み取り具１の使用者がこの渦巻状の複数の爪状片１０を対象物へ当接させると、対象物の寸法に応じて爪状片１０がしなり、開口８の拡開する程度が調節される。よって、図７に示される掴み取り具１は、様々な対象物の寸法に応じて掴み取ることができるものである。
【００２７】
図８（ａ）〜図８（ｃ）に示される掴み取り具１は、底板２と、底板２から延在する把持部（グリップ）１１と柄１２を備え、底板２の面から概ね垂直に複数の柔軟な爪状片１０が延びており、これらの柔軟な爪状片１０の先端が、互いに接近する方向へ湾曲している。この掴み取り具１は、紙、木、シリコン、軽金属、プラスチックないし合成樹脂、ポリロタキサン又はこれらの組合せから形成されている。或いは、掴み取り具１の全体が紙から形成されている。この掴み取り具１は、比較的太い把持部１１を有するため、梃子の原理を利用して小さい力でも飲料缶の蓋などを開けることができるものである。掴み取り具１の使用者が、把持部１１を握り、飲料缶６０の蓋６４の周囲に複数の柔軟な爪状片１０を押し込むと、複数の柔軟な爪状片１０がしなって蓋６４の溝６６に引っ掛かる。そして使用者は、反時計回り（或いは時計回り）に把持部１１を回すことにより、梃子の原理を利用して飲料缶６０の蓋６４を開けることができる。
【００２８】
また、特に図８（ａ）に示されているように、複数の柔軟な爪状片１０の内側がコルゲート加工され、言わば波打ち形状（蛇腹形状）に形成されている。波打ち形状に形成されていることにより、複数の柔軟な爪状片１０がしなって飲料缶６０の溝６６に引っ掛かる際に滑ってしまうことが少ない。図８に示されている掴み取り具１は、その複数の柔軟な爪状片１０が剛性と延性を兼ね備えているので、様々な形状のゴキブリ駆除用品等の対象物を掴み取るために使用することも可能である。
【００２９】
本発明の掴み取り具１は、ゴキブリ駆除用品と一緒に、当該ゴキブリ駆除用品の寸法に適した形状の掴み取り具として同一パッケージに詰めてセット販売することもできよう。また、本発明の掴み取り具１は、紙、木などの燃えやすい材料のみから形成されている場合において、例えば、ゴキブリ駆除用品を掴んだ状態のまま、ビニール袋等に入れて使い捨て処理することができるという利点もある。
【符号の説明】
【００３０】
１…掴み取り具
２…底板
４…側板
５…切込み
６…側板
７…切込み
８…開口
１０…爪状片
１１…把持部
１２…柄
２０…ゴキブリ駆除用品
３０…ゴキブリ駆除用品
５０…茶碗蒸し小鉢
５２…茶椀蒸し小鉢（蓋以外）
５４…茶碗蒸し小鉢の蓋
５６…茶碗蒸し小鉢の摘み
６０…飲料缶の容器（蓋以外）
６４…飲料缶の蓋
６６…（飲料缶の蓋の）溝
【図１】
2019218068.tif 000003
【図２】
2019218068.tif 000004
【図３】
2019218068.tif 000005
【図４】
2019218068.tif 000006
【図５】
2019218068.tif 000007
【図６】
2019218068.tif 000008
【図７】
2019218068.tif 000009
【図８】
2019218068.tif 000010